(57)【要約】      （修正有）【課題】物理アップリンク共有チャネル（ＰＵＳＣＨ）送信に関連するサブ・フレームの復号を容易にするシステムおよび方法を提供する。【解決手段】ランク・インジケータ（ＲＩ）は、誤り無く復号および識別されうる。その結果、チャネル品質インジケータ（ＣＱＩ）や、物理アップリンク共有チャネル（ＰＵＳＣＨ）送信の開始点や、アクノレッジメント（ＡＣＫ）の誤りの無い復号および識別がなされる。それに加えて、誤りの無い復号が適用されるように、物理アップリンク共有チャネル（ＰＵＳＣＨ）送信のサブ・フレーム内の情報をパッケージする。【選択図】図５
2014222906.tif 000002
【特許請求の範囲】
【請求項１】
物理アップリンク共有チャネル（ＰＵＳＣＨ）送信内のランク・インジケータ（ＲＩ）を識別することを容易にする無線通信装置で使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
前記ランク・インジケータ（ＲＩ）を検出するために、シーケンシャル復号、パラレル復号、またはハイブリッド復号のうちの少なくとも１つである復号技術を適用することと、
前記データ部分の開始点に誤りが無いように、前記検出されたランク・インジケータ（ＲＩ）に基づいて、前記データ部分の開始点を識別することと
を備える方法。
【請求項２】
前記シーケンシャル復号は、
前記ランク・インジケータ（ＲＩ）を識別するために、ランク・インジケータ（ＲＩ）検出を実行することと、
前記チャネル品質インジケータ（ＣＱＩ）を検出するために、前記ランク・インジケータの検出に基づいて、チャネル品質インジケータ（ＣＱＩ）検出を実行することと、
前記チャネル品質インジケータ（ＣＱＩ）検出に基づいて、前記データ部分の復号を実行することと
を備える請求項１に記載の方法。
【請求項３】
前記パラレル復号は、
前記ランク・インジケータ（ＲＩ）を識別するために、ランク・インジケータ（ＲＩ）検出を実行することと、
前記チャネル品質インジケータ（ＣＱＩ）を検出するために、チャネル品質インジケータ（ＣＱＩ）を実行することと、
前記データ部分の復号を実行することと、
前記ランク・インジケータ（ＲＩ）の検出と、前記チャネル品質インジケータ（ＣＱＩ）の検出と、前記データ部分の復号とをパラレルに実行することと
を備える請求項１に記載の方法。
【請求項４】
前記チャネル品質インジケータ（ＣＱＩ）および前記データ部分の検出は、前記ランク・インジケータ（ＲＩ）が、１の値であるか、または、１より大きな値であるかのうちの少なくとも１つに基づいてブラインドで実行される請求項３に記載の方法。
【請求項５】
前記ハイブリッド復号は、
前記ランク・インジケータ（ＲＩ）を識別するためにランク・インジケータ（ＲＩ）検出を実行することと、
前記チャネル品質インジケータ（ＣＱＩ）を検出するために、チャネル品質インジケータ（ＣＱＩ）検出を実行することと、
前記ランク・インジケータ（ＲＩ）検出と前記チャネル品質インジケータ（ＣＱＩ）検出とをパラレルに実行することとを備え、
前記ランク・インジケータ（ＲＩ）とともに検出されたチャネル品質インジケータ（ＣＱＩ）は、１の値であるか、または、１より大きな値であるかのうちの少なくとも１つであり、
前記ハイブリッド復号はさらに、
対応するランク・インジケータ（ＲＩ）を提供するチャネル品質インジケータ（ＣＱＩ）巡回冗長検査（ＣＲＣ）を適用することと、
前記識別されたランク・インジケータ（ＲＩ）を、前記対応するランク・インジケータ（ＲＩ）を用いて評価することと、
前記識別されたランク・インジケータ（ＲＩ）が、前記対応するランク・インジケータ（ＲＩ）と矛盾していない場合、前記データ部分の復号を実行することと
を備える請求項１に記載の方法。
【請求項６】
前記識別されたランク・インジケータ（ＲＩ）が、前記対応するランク・インジケータ（ＲＩ）と矛盾する場合、前記ランク・インジケータ（ＲＩ）または前記チャネル品質インジケータ（ＣＱＩ）のうちの少なくとも１つが誤っていると宣言することをさらに備える請求項５に記載の方法。
【請求項７】
前記物理アップリンク共有チャネル（ＰＵＳＣＨ）送信に関連するサブ・フレームにおけるログ尤度比（ＬＬＲ）をクリアすることをさらに備える請求項６に記載の方法。
【請求項８】
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＵＳＣＨ）送信のパッケージ構成を識別することと、
前記識別されたパッケージ構成に少なくとも部分的に基づいて、前記物理アップリンク共有チャネル（ＰＵＳＣＨ）送信を復号することとを備え、
前記パッケージ構成は、前記ランク・インジケータ（ＲＩ）、前記チャネル品質インジケータ、前記データ部分、または前記アクノレッジメント（ＡＣＫ）のうちの少なくとも１つの位置を指定する請求項１に記載の方法。
【請求項９】
復号技術を利用する無線通信システムで使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
１であるランク・インジケータ（ＲＩ）値と、１より大きなランク・インジケータ（ＲＩ）値とに対応するＣＱＩのペイロード・サイズを計算することと、
より大きなペイロード・サイズのＣＱＩに基づいて、前記チャネル品質インジケータ（ＣＱＩ）に対するデータのレート・マッチングを行うことと
を備える方法。
【請求項１０】
復号技術を利用する無線通信システムにおいて使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＳＵＣＨ）送信のパッケージ構成を識別することと、
前記識別されたパッケージ構成に少なくとも部分的に基づいて、前記物理アップリンク共有チャネル（ＰＵＳＣＨ）送信を復号することとを備え、
前記パッケージ構成は、前記ランク・インジケータ（ＲＩ）、前記チャネル品質インジケータ（ＣＱＩ）、前記データ部分、または前記アクノレッジメント（ＡＣＫ）のうちの少なくとも１つの位置を指定する方法。
【請求項１１】
無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信し、
前記ランク・インジケータ（ＲＩ）を復号するために、シーケンシャル復号、パラレル復号、またはハイブリッド復号のうちの少なくとも１つである復号技術を利用し、
前記データ部分の開始点に誤りが無いように、前記検出されたランク・インジケータ（ＲＩ）に基づいて、前記データ部分の開始点を位置決めする
ように構成された少なくとも１つのプロセッサと、
前記少なくとも１つのプロセッサに接続されたメモリと
を備える無線通信装置。
【請求項１２】
前記シーケンシャル復号は、
前記ランク・インジケータ（ＲＩ）を識別するためにランク・インジケータ（ＲＩ）検出を実行し、前記チャネル品質インジケータ（ＣＱＩ）を検出するために、前記ランク・インジケータ（ＲＩ）検出に基づいて、チャネル品質インジケータ（ＣＱＩ）検出を実行し、
前記チャネル品質インジケータ（ＣＱＩ）検出に基づいて、前記データ部分の復号を実行する
ように構成された少なくとも１つのプロセッサを備える請求項１１に記載の無線通信装置。
【請求項１３】
前記パラレル復号は、
前記ランク・インジケータ（ＲＩ）を識別するために、ランク・インジケータ（ＲＩ）検出を実行し、
前記チャネル品質インジケータ（ＣＱＩ）を検出するために、チャネル品質インジケータ（ＣＱＩ）検出を実行し、
前記データ部分の復号を実行し、前記ランク・インジケータ（ＲＩ）検出と、前記チャネル品質インジケータ（ＣＱＩ）検出と、前記データ部分の復号とをパラレルに実行する
ように構成された少なくとも１つのプロセッサを備える請求項１１に記載の無線通信装置。
【請求項１４】
前記ハイブリッド復号は、
前記ランク・インジケータ（ＲＩ）を識別するためにランク・インジケータ（ＲＩ）検出を実行し、
前記チャネル品質インジケータ（ＣＱＩ）を検出するために、チャネル品質インジケータ（ＣＱＩ）検出を実行し、
前記ランク・インジケータ（ＲＩ）検出と前記チャネル品質インジケータ（ＣＱＩ）検出とをパラレルに実行するように構成された少なくとも１つのプロセッサを備え、
前記ランク・インジケータ（ＲＩ）とともに検出されたチャネル品質インジケータ（ＣＱＩ）は、１の値であるか、または、１より大きな値であるかのうちの少なくとも１つであり、
前記少なくとも１つのプロセッサはさらに、
対応するランク・インジケータ（ＲＩ）を提供するチャネル品質インジケータ（ＣＱＩ）巡回冗長検査（ＣＲＣ）を適用し、
前記識別されたランク・インジケータ（ＲＩ）を、前記対応するランク・インジケータ（ＲＩ）を用いて評価し、
前記識別されたランク・インジケータ（ＲＩ）が、前記対応するランク・インジケータ（ＲＩ）と矛盾していない場合、前記データ部分の復号を実行する
ように構成された少なくとも１つのプロセッサを備える請求項１１に記載の無線通信装置。
【請求項１５】
物理アップリンク共有チャネル（ＰＵＳＣＨ）送信内のランク・インジケータ（ＲＩ）を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
前記ランク・インジケータ（ＲＩ）を検出するために、シーケンシャル復号、パラレル復号、またはハイブリッド復号のうちの少なくとも１つである復号技術を適用する手段と、
検出されたデータ部分の開始点に誤りが無いように、前記検出されたランク・インジケータ（ＲＩ）に基づいて、前記データ部分の開始点を識別する手段と
を備える無線通信装置。
【請求項１６】
前記シーケンシャル復号は、
前記ランク・インジケータ（ＲＩ）を識別するためにランク・インジケータ（ＲＩ）検出を実行する手段と、
チャネル品質インジケータ（ＣＱＩ）を検出するために、前記ランク・インジケータ（ＲＩ）検出に基づいて、チャネル品質インジケータ（ＣＱＩ）検出を実行する手段と、
前記チャネル品質インジケータ（ＣＱＩ）検出に基づいて、前記データ部分の復号を実行する手段と
を備える請求項１５に記載の無線通信装置。
【請求項１７】
前記パラレル復号は、
前記ランク・インジケータ（ＲＩ）を識別するために、ランク・インジケータ（ＲＩ）検出を実行する手段と、
前記チャネル品質インジケータ（ＣＱＩ）を検出するために、チャネル品質インジケータ（ＣＱＩ）検出を実行する手段と、
前記データ部分の復号を実行する手段と、
前記ランク・インジケータ（ＲＩ）検出と、前記チャネル品質インジケータ（ＣＱＩ）検出と、前記データ部分の復号とをパラレルに実行する手段と
を備える請求項１５に記載の無線通信装置。
【請求項１８】
前記チャネル品質インジケータ（ＣＱＩ）および前記データ部分の検出は、前記ランク・インジケータ（ＲＩ）が、１の値であるか、または、１より大きな値であるかのうちの少なくとも１つに基づいてブラインドで実行される請求項１７に記載の無線通信装置。
【請求項１９】
前記ハイブリッド復号は、
前記ランク・インジケータ（ＲＩ）を識別するためにランク・インジケータ（ＲＩ）検出を実行する手段と、
前記チャネル品質インジケータ（ＣＱＩ）を検出するために、チャネル品質インジケータ（ＣＱＩ）検出を実行する手段と、
前記ランク・インジケータ（ＲＩ）検出と前記チャネル品質インジケータ（ＣＱＩ）検出とをパラレルに実行する手段とを備え、
前記ランク・インジケータ（ＲＩ）とともに検出されたチャネル品質インジケータ（ＣＱＩ）は、１の値であるか、または、１より大きな値であるかのうちの少なくとも１つであり、
前記ハイブリッド復号はさらに、
対応するランク・インジケータ（ＲＩ）を提供するチャネル品質インジケータ（ＣＱＩ）巡回冗長検査（ＣＲＣ）を適用する手段と、
前記識別されたランク・インジケータ（ＲＩ）を、前記対応するランク・インジケータ（ＲＩ）を用いて評価する手段と、
前記識別されたランク・インジケータ（ＲＩ）が、前記対応するランク・インジケータ（ＲＩ）と矛盾していない場合、前記データ部分の復号を実行する手段と
を備える請求項１５に記載の無線通信装置。
【請求項２０】
前記識別されたランク・インジケータ（ＲＩ）が、前記対応するランク・インジケータ（ＲＩ）と矛盾する場合、前記ランク・インジケータ（ＲＩ）または前記チャネル品質インジケータ（ＣＱＩ）のうちの少なくとも１つが誤っていると宣言する手段をさらに備える請求項１９に記載の無線通信装置。
【請求項２１】
前記物理アップリンク共有チャネル（ＰＵＳＣＨ）送信に関連するサブ・フレームにおけるログ尤度比（ＬＬＲ）をクリアする手段をさらに備える請求項２０に記載の無線通信装置。
【請求項２２】
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＵＳＣＨ）送信のパッケージ構成を識別する手段と、
前記識別されたパッケージ構成に少なくとも部分的に基づいて、前記物理アップリンク共有チャネル（ＰＵＳＣＨ）送信を復号する手段とをさらに備え、
前記パッケージ構成は、前記ランク・インジケータ（ＲＩ）、前記チャネル品質インジケータ、前記データ部分、または前記アクノレッジメント（ＡＣＫ）のうちの少なくとも１つの位置を指定する請求項１５に記載の無線通信装置。
【請求項２３】
物理アップリンク共有チャネル（ＰＵＳＣＨ）送信内のデータ部分の開始点を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
１であるランク・インジケータ（ＲＩ）値と、１より大きなランク・インジケータ（ＲＩ）値とに対応するＣＱＩのペイロード・サイズを計算する手段と、
より大きなペイロード・サイズのＣＱＩに基づいて、前記チャネル品質インジケータ（ＣＱＩ）に対するデータのレート・マッチングを行う手段と
を備える無線通信装置。
【請求項２４】
物理アップリンク共有チャネル（ＰＵＳＣＨ）送信内のデータ部分の開始点を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
閉ループ空間多重化モードにおけるユーザ機器を識別する手段と、
前記チャネル品質インジケータ（ＣＱＩ）のデータをパンクチャする手段と、
復号および検出されたランク・インジケータ（ＲＩ）に対応するログ尤度比（ＬＬＲ）におけるデータをクリアする手段と
を備える無線通信装置。
【請求項２５】
コンピュータ読取可能媒体を備えるコンピュータ・プログラム製品であって、
前記コンピュータ読取可能媒体は、
少なくとも１つのコンピュータに対して、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信させるためのコードと、
前記ランク・インジケータ（ＲＩ）を復号するために、少なくとも１つのコンピュータに対して、シーケンシャル復号、パラレル復号、またはハイブリッド復号のうちの少なくとも１つである復号技術を利用させるためのコードと、
前記データ部分の開始点に誤りが無いように、少なくとも１つのコンピュータに対して、前記検出されたランク・インジケータ（ＲＩ）に基づいて、前記データ部分の開始点を位置決めさせるためのコードとを備えるコンピュータ・プログラム製品。
【請求項２６】
物理アップリンク共有チャネル（ＰＵＳＣＨ）送信に関連する誤りの無い復号を可能にする、情報のパッケージの生成を容易にする無線通信システムで使用される方法であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択することと、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化することと、
前記パッケージ構成をｅノードＢに通信することとを備え、
前記パッケージ構成によって、前記ｅノードＢは、前記ランク・インジケータ（ＲＩ）を誤り無く復号できるようになる方法。
【請求項２７】
前記パッケージ構成は、
前記サブ・フレームの終わりに、少なくとも１つのチャネル品質インジケータ（ＣＱＩ）ビットを挿入することと、
前記チャネル品質インジケータ（ＣＱＩ）に対するデータ・レート・マッチを適用することと
を備える請求項２６に記載の方法。
【請求項２８】
前記パッケージ構成はさらに、ランク・インジケータ（ＲＩ）位置を変えずに保ちながら、割り当てられた帯域幅内に、第１のサブ・キャリアから始まるアクノレッジメント（ＡＣＫ）シンボルを挿入することを備える請求項２６に記載の方法。
【請求項２９】
前記パッケージ構成はさらに、割り当てられた帯域幅内に、第１のサブ・キャリアから始まるランク・インジケータ（ＲＩ）シンボルおよびアクノレッジメント（ＡＣＫ）シンボルを挿入することを備える請求項２６に記載の方法。
【請求項３０】
前記パッケージ構成は、前記サブ・フレーム内にチャネル品質インジケータ（ＣＱＩ）シンボルを固定することを備える請求項２６に記載の方法。
【請求項３１】
前記パッケージ構成は、
前記サブ・フレームの第１の終わりに、チャネル品質インジケータ（ＣＱＩ）ビットを挿入することと、
前記サブ・フレームの第２の終わりにおいて始まるチャネル品質インジケータに対するデータ・レート・マッチを適用することと
を備える請求項２６に記載の方法。
【請求項３２】
前記選択されたパッケージ構成の体系化に少なくとも部分的に基づいて、前記パッケージ構成を復号することをさらに備える請求項２６に記載の方法。
【請求項３３】
無線通信装置であって、
サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成し、
前記物理アップリンク共有チャネル（ＰＵＳＣＨ）送信の復号が誤り無くなされるような構成に、前記データのパッケージを体系化し、
前記パッケージ構成を、ｅノードＢに通信するように構成された少なくとも１つのプロセッサと、
前記少なくとも１つのプロセッサに接続されたメモリとを備え、
前記パッケージ構成によって、前記ｅノードＢは、前記ランク・インジケータ（ＲＩ）を誤り無く復号できるようになる無線通信装置。
【請求項３４】
前記データのパッケージは、
前記サブ・フレームの終わりに、少なくとも１つのチャネル品質インジケータ（ＣＱＩ）ビットを挿入し、
前記チャネル品質インジケータ（ＣＱＩ）に対するデータ・レット・マッチを適用するように構成された少なくとも１つのプロセッサを備える請求項３３に記載の無線通信装置。
【請求項３５】
ランク・インジケータ（ＲＩ）位置を変えずに保ちながら、割り当てられた帯域幅内に、第１のサブ・キャリアから始まるアクノレッジメント（ＡＣＫ）シンボルを挿入するように構成された少なくとも１つのプロセッサを備える請求項３３に記載の無線通信装置。
【請求項３６】
前記データのパッケージはさらに、割り当てられた帯域幅内の第１のサブ・キャリアから始まるランク・インジケータ（ＲＩ）シンボルおよびアクノレッジメント（ＡＣＫ）シンボルを挿入するように構成された少なくとも１つのプロセッサを備える請求項３３に記載の無線通信装置。
【請求項３７】
物理アップリンク共有チャネル（ＰＵＳＣＨ）送信に関連する誤りの無い復号を可能にする情報のパッケージを生成する無線通信装置であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択する手段と、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化する手段と、
前記パッケージ構成をｅノードＢに通信する手段とを備え、
前記パッケージ構成によって、前記ｅノードＢは、前記ランク・インジケータ（ＲＩ）を誤り無く復号できるようになる無線通信装置。
【請求項３８】
前記パッケージ構成は、
前記サブ・フレームの終わりに、少なくとも１つのチャネル品質インジケータ（ＣＱＩ）ビットを挿入する手段と、
前記チャネル品質インジケータ（ＣＱＩ）に対するデータ・レート・マッチを適用する手段と
を備える請求項３７に記載の無線通信装置。
【請求項３９】
前記パッケージ構成はさらに、ランク・インジケータ（ＲＩ）位置を変えずに保ちながら、割り当てられた帯域幅内に、第１のサブ・キャリアから始まるアクノレッジメント（ＡＣＫ）シンボルを挿入する手段を備える請求項３７に記載の無線通信装置。
【請求項４０】
前記パッケージ構成はさらに、割り当てられた帯域幅における第１のサブ・キャリアから始まるランク・インジケータ（ＲＩ）シンボルおよびアクノレッジメント（ＡＣＫ）シンボルを挿入する手段を備える請求項３７に記載の無線通信装置。
【請求項４１】
前記パッケージ構成は、前記サブ・フレーム内にチャネル品質インジケータ（ＣＱＩ）シンボルを固定する手段を備える請求項３７に記載の無線通信装置。
【請求項４２】
前記パッケージ構成は、
前記サブ・フレームの第１の終わりにおいて、チャネル品質インジケータ（ＣＱＩ）を挿入する手段と、
前記サブ・フレームの第２の終わりに始まるチャネル品質インジケータ（ＣＱＩ）に対するデータ・レート・マッチを適用する手段と
を備える請求項３７に記載の無線通信装置。
【請求項４３】
前記選択されたパッケージ構成の体系化に少なくとも部分的に基づいて、前記パッケージ構成を復号する手段をさらに備える請求項３７に記載の無線通信装置。
【請求項４４】
コンピュータ読取可能媒体を備えるコンピュータ・プログラム製品であって、
前記コンピュータ読取可能媒体は、
少なくとも１つのコンピュータに対して、サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成させるためのコードと、
少なくとも１つのコンピュータに対して、前記物理アップリンク共有チャネル（ＰＵＳＣＨ）送信の復号が誤り無くなされるような構成に、前記データのパッケージを体系化させるためのコードと、
少なくとも１つのコンピュータに対して、前記パッケージ構成を、ｅノードＢに通信させるためのコードとを備え、
前記パッケージ構成によって、前記ｅノードＢは、前記ランク・インジケータ（ＲＩ）を誤り無く復号できるようになるコンピュータ・プログラム製品。
【請求項４５】
前記データのパッケージは、
少なくとも１つのコンピュータに対して、前記サブ・フレームの終わりに、少なくとも１つのチャネル品質インジケータ（ＣＱＩ）ビットを挿入させるためのコードと、
少なくとも１つのコンピュータに対して、前記チャネル品質インジケータに対するデータ・レート・マッチを適用させるためのコードとを備える前記コンピュータ読取可能媒体を備える請求項４４に記載のコンピュータ・プログラム製品。
【請求項４６】
前記データのパッケージはさらに、少なくとも１つのコンピュータに対して、ランク・インジケータ（ＲＩ）位置を変えずに保ちながら、割り当てられた帯域幅内に、第１のサブ・キャリアから始まるアクノレッジメント（ＡＣＫ）シンボルを挿入させるためのコードを備える請求項４４に記載のコンピュータ・プログラム製品。
【請求項４７】
前記データのパッケージはさらに、少なくとも１つのコンピュータに対して、割り当てられた帯域幅内の第１のサブ・キャリアから始まるランク・インジケータ（ＲＩ）シンボルおよびアクノレッジメント（ＡＣＫ）シンボルを挿入させるためのコードを備える請求項４４に記載のコンピュータ・プログラム製品。
【発明の詳細な説明】
【関連出願に対する相互参照】
【０００１】
本願は、２００８年８月１８日に出願された“Ａ  ＭＥＴＨＯＤ  ＡＮＤ  ＡＰＰＡＲＡＴＵＳ  ＦＯＲ  ＴＲＡＮＳＭＩＴＴＩＮＧ  ＰＵＣＣＨ  ＯＮ  ＰＵＳＣＨ  ＩＮ  Ａ  ＷＩＲＥＬＥＳＳ  ＣＯＭＭＵＮＩＣＡＴＩＯＮ  ＳＹＳＴＥＭ”と題された米国仮出願６１／０８９，８４９号の利益を主張する。本願はまた、２００８年８月２１日に出願された“Ａ  ＭＥＴＨＯＤ  ＡＮＤ  ＡＰＰＡＲＡＴＵＳ  ＦＯＲ  ＴＲＡＮＳＭＩＴＴＩＮＧ  ＰＵＣＣＨ  ＯＮ  ＰＵＳＣＨ  ＩＮ  Ａ  ＷＩＲＥＬＥＳＳ  ＣＯＭＭＵＮＩＣＡＴＩＯＮ  ＳＹＳＴＥＭ”と題された米国仮出願６１／０９０，７１８号の利益を主張する。上記出願の全体は、参照によって本明細書に組み込まれている。
【技術分野】
【０００２】
以下の記載は、一般に無線通信に関し、さらに詳しくは、誤り無くランク・インジケータ（ＲＩ）を識別するために、物理アップリンク共有チャネル（ＰＵＳＣＨ）送信を復号することに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
無線通信システム内のエリア・トラッキングによって、ユーザ機器（例えば、モバイル・デバイス、モバイル通信装置、セルラ・デバイス、スマートフォン等）のトラッキング・エリア・ロケーションを定義できるようになる。一般に、ネットワークは、ユーザ機器（ＵＥ）がそのようなトラッキング・エリア位置を用いて応答するＵＥに対して要求またはページしうる。これによって、ＵＥのトラッキング・エリア位置が、ネットワークへ通信され、さらに更新されるようになる。
【０００７】
非定期的な物理アップリンク制御チャネル（ＰＵＣＣＨ）を用いた無線通信システムでは、チャネル品質インジケータ（ＣＱＩ）ペイロード・サイズおよび対応する占有されたリソースは、ランク・インジケータ（ＲＩ）に依存する。ランク・インジケータ（ＲＩ）が誤っている場合、データ復号または実施の複雑さの何れかに影響を及ぼすだろう。言い換えれば、ランク・インジケータ（ＲＩ）が、適切に復号されず、誤りがある場合、物理アップリンク共有チャネル（ＰＵＳＣＨ）送信のさまざまなセグメント（例えば、チャネル品質インジケータ（ＣＱＩ）、リソースに対応するデータ部分、アクノレッジメント（ＡＣＫ）等）が誤ったものになるだろう。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
関連する態様によれば、物理アップリンク共有チャネル（ＰＵＳＣＨ）送信内のランク・インジケータ（ＲＩ）を識別することを容易にする方法。この方法は、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することを含みうる。さらに、この方法は、ランク・インジケータ（ＲＩ）を検出するために、復号技術を適用することを含みうる。ここで、この復号技術は、シーケンシャル復号、パラレル復号、またはハイブリッド復号のうちの少なくとも１つである。さらに、この方法は、データ部分の開始点に誤りが無いように、検出されたランク・インジケータ（ＲＩ）に基づいて、データ部分の開始点を識別することを備えうる。
【００１０】
別の態様は、無線通信装置に関する。この無線通信装置は、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信し、ランク・インジケータ（ＲＩ）を復号するために、シーケンシャル復号、パラレル復号、またはハイブリッド復号のうちの少なくとも１つである復号技術を利用し、データ部分の開始点に誤りが無いように、検出されたランク・インジケータ（ＲＩ）に基づいて、データ部分の開始点を位置決めするように構成された少なくとも１つのプロセッサを含みうる。さらに、この無線通信装置は、少なくとも１つのプロセッサに接続されたメモリを含みうる。
【００１１】
また別の態様は、物理アップリンク共有チャネル（ＰＵＳＣＨ）送信内のランク・インジケータ（ＲＩ）を識別する無線通信装置に関する。この無線通信装置は、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段を含みうる。それに加えて、この無線通信装置は、ランク・インジケータ（ＲＩ）を検出するために、復号技術を適用する手段を備えうる。ここで、この復号技術は、シーケンシャル復号、パラレル復号、またはハイブリッド復号のうちの少なくとも１つである。さらに、この無線通信装置は、検出されたデータ部分の開始点に誤りが無いように、検出されたランク・インジケータ（ＲＩ）に基づいて、データ部分の開始点を識別する手段を備えうる。
【００１２】
また、別の態様は、コードを格納したコンピュータ読取可能媒体を備えるコンピュータ・プログラム製品に関する。このコードは、少なくとも１つのコンピュータに対して、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信させ、ランク・インジケータ（ＲＩ）を復号するために、シーケンシャル復号、パラレル復号、またはハイブリッド復号のうちの少なくとも１つである復号技術を利用させ、データ部分の開始点に誤りが無いように、検出されたランク・インジケータ（ＲＩ）に基づいて、データ部分の開始点を位置決めさせる。
【００１３】
他の態様によれば、物理アップリンク共有チャネル（ＰＵＳＣＨ）送信に関連する誤りの無い復号を可能にする、情報のパッケージの生成を容易にする方法。この方法は、サブ・フレーム内の物理アップリンク共有チャネル（ＰＵＳＣＨ）送信のためのパッケージ構成を選択することを備えうる。ここで、パッケージ構成は、ランク・インジケータ（ＲＩ）、チャネル品質インジケータ（ＣＱＩ）、データ部分、またはアクノレッジメント（ＡＣＫ）のうちの少なくとも２つ以上を含む。さらに、この方法は、誤りの無い物理アップリンク共有チャネル（ＰＵＳＣＨ）送信の復号を可能にするために、選択されたパッケージ構成に基づいて、ランク・インジケータ（ＲＩ）、チャネル品質インジケータ（ＣＱＩ）、データ部分、またはアクノレッジメント（ＡＣＫ）のうちの少なくとも２つ以上を体系化することを備えうる。さらに、この方法は、パッケージ構成をｅノードＢに通信することを含みうる。このパッケージ構成によって、ｅノードＢは、ランク・インジケータ（ＲＩ）を誤り無く復号できるようになる。
【００１４】
別の態様は、無線通信装置に関する。この無線通信装置は、サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成し、物理アップリンク共有チャネル（ＰＵＳＣＨ）送信の復号が誤り無くなされるような構成に、データのパッケージを体系化し、このパッケージ構成を、ｅノードＢに通信するように構成された少なくとも１つのプロセッサを含みうる。このパッケージ構成によって、ｅノードＢは、ランク・インジケータ（ＲＩ）を誤り無く復号できるようになる。さらに、この無線通信装置は、少なくとも１つのプロセッサに接続されたメモリを含みうる。
【００１５】
別の態様は、物理アップリンク共有チャネル（ＰＵＳＣＨ）送信に関連する誤りの無い復号を可能にする情報のパッケージを生成する無線通信装置に関する。この無線通信装置は、サブ・フレーム内の物理アップリンク共有チャネル（ＰＵＳＣＨ）送信のためのパッケージ構成を選択する手段を備えうる。ここで、このパッケージ構成は、ランク・インジケータ（ＲＩ）、チャネル品質インジケータ（ＣＱＩ）、データ部分、またはアクノレッジメント（ＡＣＫ）のうちの少なくとも２つ以上を含む。さらに、この無線通信装置は、誤りの無い物理アップリンク共有チャネル（ＰＵＳＣＨ）送信の復号を可能にするために、選択されたパッケージ構成に基づいて、ランク・インジケータ（ＲＩ）、チャネル品質インジケータ（ＣＱＩ）、データ部分、またはアクノレッジメント（ＡＣＫ）のうちの少なくとも２つ以上を体系化する手段を備えうる。さらに、この無線通信装置は、このパッケージ構成をｅノードＢに通信する手段を含みうる。このパッケージ構成によって、ｅノードＢは、誤り無くランク・インジケータ（ＲＩ）を復号することが可能となる。
【００１６】
また、別の態様は、コードを格納したコンピュータ読取可能媒体を備えるコンピュータ・プログラム製品に関する。このコードは、少なくとも１つのコンピュータに対して、サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成させ、物理アップリンク共有チャネル（ＰＵＳＣＨ）送信の復号が誤り無くなされるような構成に、データのパッケージを体系化させ、このパッケージ構成を、ｅノードＢに通信させる。そして、このパッケージ構成によって、ｅノードＢは、ランク・インジケータ（ＲＩ）を誤り無く復号できるようになる。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの例示である。
【図２】図２は、無線通信環境において適用される通信装置の例示である。
【図３】図３は、物理アップリンク共有チャネル（ＰＵＳＣＨ）送信に関連するサブ・フレームを誤り無く復号することを容易にする無線通信システムの例示である。
【図４】図４は、物理アップリンク共有チャネル（ＰＵＳＣＨ）送信内のランク・インジケータ（ＲＩ）を識別することを容易にするシステムの例示である。
【図５】図５は、物理アップリンク共有チャネル（ＰＵＳＣＨ）送信に関連する誤りの無い復号を可能にする情報のパッケージを生成することを容易にする方法の例示である。
【図６】図６は、無線通信システムにおいて、ランク・インジケータ（ＲＩ）の誤りの無い復号および識別を容易にするモバイル・デバイスの例示である。
【図７】図７は、無線通信環境において、ランク・インジケータ（ＲＩ）を誤り無く検出する復号技術を利用することを容易にするシステムの例示である。
【図８】図８は、本明細書で開示されたされたさまざまなシステムおよび方法と共に適用されうる無線ネットワーク環境の例示である。
【図９】図９は、物理アップリンク共有チャネル（ＰＵＳＣＨ）送信内のランク・インジケータ（ＲＩ）を識別することを容易にするシステムの例示である。
【図１０】図１０は、無線通信環境において、物理アップリンク共有チャネル（ＰＵＳＣＨ）送信に関連する誤りの無い復号を可能にする情報のパッケージを生成するシステムの例示である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるような用語「モジュール」、「キャリア」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に示されたさまざまな実施形態にしたがう無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマートフォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２８】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル・システム・フォー・モバイル（ＧＳＭ（登録商標））、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきである。実質的に任意の無線通信技術が、特許請求の範囲内にあることが意図されること
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００２９】
別の例によれば、パイロットは、ビーコン（および／またはビーコンのシーケンス）でありうる。ビーコンは、ＯＦＤＭシンボルでありうる。ここでは、電力の大部分が、１つのサブ・キャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３０】
主題とするイノベーションは、物理アップリンク共有チャネル（ＰＵＳＣＨ）送信を誤り無く復号するために、復号技術およびパッキング技術を提供する。特に、これらシステムおよび／または方法によって、ランク・インジケータ（ＲＩ）は、誤り無く復号および識別されるようになる。この結果、チャネル品質インジケータ（ＣＱＩ）と、物理アップリンク共有チャネル（ＰＵＳＣＨ）送信内のデータ部分の開始点と、アクノレッジメント（ＡＣＫ）とが、誤り無く復号される。さらに、主題とするイノベーションは、パッケージ技術について記載する。ここでは、誤りの無い復号を容易にするために、ランク・インジケータ（ＲＩ）と、チャネル品質インジケータ（ＣＱＩ）と、物理アップリンク共有チャネル（ＰＵＳＨＣ）送信内のデータ部分と、アクノレッジメント（ＡＣＫ）とが、結合されうる。
【００３１】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、物理アップリンク共有チャネル（ＰＵＳＣＨ）送信に関連するランク・インジケータ（ＲＩ）を正確に復号するために、以下に示す構成要素を適用する。
【００３２】
この通信装置２００は、パッケージ・モジュール２０２および／または復号モジュール２０４を含みうる。パッケージ・モジュール２０２は、データを用いて、特定の方式でサブ・フレームを構築するさまざまなパッケージ技術を適用しうる。具体的には、ランク・インジケータ（ＲＩ）、チャネル品質インジケータ（ＣＱＩ）、データ部分、およびアクノレッジメント（ＡＣＫ）が、サブ・フレーム内に、特定のフォーマットでパッケージされうる。これらのフォーマットは、ｅノードＢ、基地局、ノードＢ等におけるサブ・フレームの復号を容易にしうる。
【００３３】
復号モジュール２０４は、限定される訳ではないが、（以下に詳述する）シーケンシャル復号、パラレル復号、およびハイブリッド復号のような復号技術を適用しうる。一般に、復号モジュール２０４によって、ランク・インジケータ（ＲＩ）の誤りの無い復号が可能となりうる。ここで、ランク・インジケータ（ＲＩ）のこのような誤りの無い復号によって、サブ・フレーム内の残りの情報（例えば、チャネル品質インジケータ（ＣＱＩ）、データ部分、アクノレッジメント（ＡＣＫ）等）の誤りの無い復号も可能となる。
【００３４】
非定期的なＰＵＣＣＨを用いる無線通信システムでは、チャネル品質インジケータ（ＣＱＩ）ペイロード・サイズおよび対応する占有されたリソースは、ランク・インジケータ（ＲＩ）に依存する。ランク・インジケータ（ＲＩ）に誤りがある場合、データ復号または実施の複雑さの何れかに影響を及ぼすだろう。
【００３５】
現在の無線通信システムでは、ＰＵＳＣＨでＣＱＩ要求をシグナルするための１ビットが、ダウンリンク制御情報（ＤＣＩ）フォーマット０内に存在する。ＣＱＩ要求ビットがオンである場合、ＵＥは、ＵＬ−ＳＣＨデータを送信している間、現在のＲＩおよびＣＱＩをレポートする。このＰＵＳＣＨ送信は、（データ＋ＣＱＩ＋ＲＩ）または（ＣＱＩ＋ＲＩのみ）を含むか、あるいは、対応するＤＬ−ＳＣＨ送信がある場合には、ＡＣＫが、このサブ・フレームで送信されうる。
【００３６】
ＰＵＳＣＨ送信が、データ＋ＣＱＩ＋ＲＩ（および恐らくはＡＣＫ）を含んでいる場合、１）ＲＩビットは、割り当てられたサブ・キャリアにおける最後のサブ・キャリアから始まるパイロット・シンボルの前後に２シンボル挿入され、２）チャネル・インタリーブ前の最初にＣＱＩを配置することによって、データ・ビットおよびＣＱＩビットが連結され、３）まずサブ・フレーム全体、次にＲＩシンボルに対して及ぶことによって、１つのサブ・キャリアから別のサブ・キャリアへ移動してサブ・フレーム内にデータおよびＣＱＩが挿入され、４）割当内の最後のサブ・キャリアから始まり、データおよび恐らくはＣＱＩをパンクチャするパイロット・シンボルの隣のシンボルに、ＡＣＫビットが挿入される。
【００３７】
ＵＥが、閉ループ空間多重化モードに設定されている場合、ＣＱＩペイロードは、ＲＩの関数である。ここで、ＲＩ＝１は、１つのペイロード・サイズに相当し、ＲＩ＞１は、別のペイロード・サイズに相当する。したがって、ＣＱＩによって占有されるシンボルの数は、ＲＩに依存する。
【００３８】
態様では、ＵＥ  Ｔｘ挙動は、そのサブ・フレームで送信されたＲＩにしたがって、ＣＱＩによって占有されたシンボルの数を計算することと、それにしたがってＣＱＩによって占有されたリソースを使っている間、データ・レート・マッチングを実行することである。したがって、ＲＩが異なれば、ＣＱＩによって使われるリソースの数が異なるという結果になる。
【００３９】
ｅ−ＮＢ（すなわち、基地局）は、いくつかの態様にしたがって、解決策を受け取る。
【００４０】
態様によれば、シーケンシャル復号は、１）まずＲＩ検出を実行し、次に、２）ＲＩ値に基づいて、ＣＱＩ復号およびデータ復号を実行する（もし、ＲＩが誤っていると、ＣＱＩにも誤りがあり、さらに重要なことには、データの開始点も誤り、これによって、現在の送信のみならず、すべての送信のＰＵＳＣＨデータ全体も誤ったものとなるだろう）。
【００４１】
態様によれば、パラレル復号は、１）ＲＩ検出と、ＣＱＩおよびデータの復号とをパラレルに実行し、２）（ＲＩ＝１およびＲＩ＞１を）仮定することによって、ＣＱＩおよびデータをブラインド復号し、３）ＲＩ誤りによる誤った伝送はないが、最大再送信回数に達するか、あるいは、ＣＲＣパス（実施において顕著なオーバヘッドおよび複雑さ）まで、すべての再送信に対して、データのブラインド復号が引き継ぐであろう。
【００４２】
態様によれば、ハイブリッド復号は、１）ＲＩ検出およびＣＱＩ復号をパラレルに実行し、２）（ＲＩ＝１およびＲＩ＞１を）仮定することにより、ＣＱＩのブラインド復号を行い、３）ＣＱＩ  ＣＲＣチェック、および、この仮説に対応するＲＩが、復号されたＲＩと矛盾しないのであれば、データ復号に進む。そうではない場合、ＲＩおよびＣＱＩが誤っているものと宣言し、このサブ・フレームにおけるデータ送信に対応するログ尤度比（ＬＬＲ）全体をゼロ・アウトする。したがって、現在の送信を犠牲にした誤ったＲＩによる誤伝送はなくなり、ＬＬＲのためのダブル・バッファリングの必要は無い。
【００４３】
上述した復号方法に伴う誤りのある伝送および実施の複雑さを回避するために、いくつかの態様にしたがって、以下に解決法が記載されている。
【００４４】
態様では、サブ・フレームの一端側にＣＱＩビットを挿入し、ＣＱＩに対するデータ・レート・マッチを取り、ＲＩが誤っている場合、データの冗長バージョン（ＲＶ）パターンは誤りがないであろう（実際のＣＱＩビットに対応するＬＬＲは、誤っているが、あるいは、ゼロ・アウトされるだろう。これは、符号化および／または再送信によって復元されうる。ＲＶは、送信された符号化ビットが何であるかを明らかにするために使用される。これによって、我々は、情報ビットのおのおののＬＬＲを見つけることができるようになる。ＲＶが誤っている場合、パケットを復号する方法が無い。）；オプション１Ａ：ＲＩシンボル位置およびＡＣＫシンボル位置をそのまま保つ（ＡＣＫがＣＱＩをパンクチャする）。オプション１Ｂ：ＲＩ位置を変えずに保ちながら、割り当てられた帯域幅内の第１のサブ・キャリアから始まるＡＣＫシンボルを挿入する（ＡＣＫが、体系的なデータ・ビットをパンクチャする）。オプション１Ｃ：割り当てられた帯域幅内の第１のサブ・キャリアから始まるＲＩシンボルとＡＣＫシンボルとの両方を挿入する（ＡＣＫが、体系的なデータ・ビットをパンクチャする）。
【００４５】
態様では、ＲＩ＝１およびＲＩ＞１に対応するＣＱＩのペイロード・サイズを計算する。常に、ＣＱＩのペイロード・サイズがより大きいものと仮定することにより、ＣＱＩに対するデータのレート・マッチを取り（ＵＥが、より大きなペイロード・サイズに対応するリソースを仮定することによって、ＣＱＩのレート・マッチを取り）、サブ・フレーム内のＣＱＩシンボル位置が固定される（ＲＩに依存しないので、データのＲＶパターンにインパクトはない）。
【００４６】
態様において、閉ループ空間多重化モードで設定されたＵＥの場合、ＣＱＩは、レート・マッチが取られる代わりに、データをパンクチャし、復号されたＲＩに対応するデータＬＬＲをゼロ・アウトし（ＲＩが誤っている場合、ＬＬＲのいくつかに誤りがあるであろう。これは、符号化および／または再送信によって復元されうる）。そして、ＣＱＩは、いくつかの体系的なデータ・ビットをパックチャし（これは、データ送信のために、ＤＣＩフォーマット０における非定期的なＣＱＩフラグを別のＲＶへリンクすることによって回避されうる）、データのＲＶパターンへのインパクトはない。
【００４７】
態様では、データおよびＣＱＩは、サブ・フレーム内に異なるマッピング方向を持つ（サブ・フレームの一端側にＣＱＩビットを挿入する。サブ・フレームの他端から始めることにより、ＣＱＩに対するデータ・レート・マッチを取る）。
【００４８】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００４９】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５０】
さらに、図示していないが、通信装置２００は、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、ランク・インジケータ（ＲＩ）を検出するために、シーケンシャル復号、パラレル復号、またはハイブリッド復号のうちの少なくとも１つである復号技術を適用することと、検出されたランク・インジケータ（ＲＩ）に誤りが無く、かつ、データ部分の開始点に誤りが無いように、検出されたランク・インジケータ（ＲＩ）に基づいてデータ部分の開始点を識別すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００５１】
さらに、図示されていないが、通信装置２００は、サブ・フレーム内の物理アップリンク共有チャネル（ＰＵＳＣＨ）送信のため、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択することと、物理アップリンク共有チャネル（ＰＵＳＣＨ）送信を誤り無く復号できるようにするために、選択されたパッケージ構成に基づいて、ランク・インジケータ（ＲＩ）、チャネル品質インジケータ（ＣＱＩ）、データ部分、またはアクノレッジメント（ＡＣＫ）のうちの少なくとも２つ以上を体系化することと、ｅノードＢが誤り無くランク・インジケータ（ＲＩ）を復号することを可能にするパッケージ構成を、ｅノードＢに通信すること等に関連する命令群を保持するメモリを含みうる。さらに、通信装置２００は、（例えば、メモリ内に保持された命令群、別のソースから取得された命令群のような）命令群を実行することに関連して利用されるプロセッサを含みうる。
【００５２】
図３を参照して、物理アップリンク共有チャネル（ＰＵＳＣＨ）送信に関連するサブ・フレームの復号を誤り無く提供する無線通信システム３００が例示される。このシステム３００は、ユーザ機器３０４（および／または、（図示しない）任意の数の他のユーザ機器）と通信する基地局３０２を含む。基地局３０２は、順方向リンク・チャネルでユーザ機器３０４に情報を送信しうる。さらに、基地局３０２は、逆方向リンク・チャネルでユーザ機器３０４から情報を受信しうる。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、基地局３０２内において図示および以下に説明される構成要素および機能は、一例において、逆に、ユーザ機器３０４内にも存在することができるが、図示する構成は、説明を簡単にするために、これら構成要素を除外している。
【００５３】
基地局３０２は、物理アップリンク共有チャネル（ＰＵＳＣＨ）送信に関連するサブ・フレームを受信する受信モジュール３０６を含む。このサブ・フレームは、ランク・インジケータ（ＲＩ）、チャネル品質インジケータ（ＣＱＩ）、データ部分、またはアクノレッジメント（ＡＣＫ）のうちの少なくとも１つを含む。基地局３０２はさらに、物理アップリンク共有チャネル（ＰＵＳＣＨ）送信部分の誤りの無い復号および識別を可能にする復号技術を適用しうる復号モジュール３０８を含みうる。特に、復号モジュール３０８は、サブ・フレームと、ランク・インジケータ（ＲＩ）、チャネル品質インジケータ（ＣＱＩ）、データ部分、またはアクノレッジメント（ＡＣＫ）のうちの少なくとも１つとを復号するために、復号技術を利用しうる。復号モジュール３０８は、限定される訳ではないが、シーケンシャル復号技術、パラレル復号技術、および／または、ハイブリッド復号技術のような任意の適切な復号技術を導入しうることが認識されるべきである。
【００５４】
ユーザ機器３０４は、物理アップリンク共有チャネル（ＰＵＳＣＨ）送信に関連する情報のパッケージを生成しうる。この情報のパッケージによって、ランク・インジケータ（ＲＩ）、チャネル品質インジケータ（ＣＱＩ）、データ部分、またはアクノレッジメント（ＡＣＫ）のうちの少なくとも１つの、誤りの無い復号が可能となる。例えば、パッケージ・モジュール３１０は、ランク・インジケータ（ＲＩ）、チャネル品質インジケータ（ＣＱＩ）、データ部分、またはアクノレッジメント（ＡＣＫ）のうちの少なくとも１つが、パッケージ内に特有の位置を持つことができるように、情報のパッケージを構築しうる。ユーザ機器３０４はさらに、生成された情報のパッケージを通信する送信モジュール３１２を含みうる。ここで、構築され通信された情報のパッケージによって、誤りの無いサブ・フレームの復号が可能となる。
【００５５】
一般的なＴＳ  ３６．２１２では、ＰＵＳＣＨでＣＱＩ要求をシグナルするために、ＤＣＩフォーマット０内に１ビットが存在する。ＣＱＩ要求ビットがオンである場合、ＵＥは、ＵＬ−ＳＣＨデータを送信している間、現在のＲＩおよびＣＱＩをレポートする。このＰＵＳＣＨ送信は、データ＋ＣＱＩ＋ＲＩと、ＣＱＩ＋ＲＩとを含みうる。ＡＣＫは、対応するＤＬ−ＳＣＨ送信がある場合、このサブ・フレームで送信されうる。
【００５６】
ＰＵＳＣＨ送信が、データ＋ＣＱＩ＋ＲＩ（および恐らくはＡＣＫ）を含む場合、以下が適用されうる。割り当てられたサブ・キャリアにおける最後のサブ・キャリアから始まるパイロット・シンボルの前後に、ＲＩビットが２シンボル挿入されうる。データ・ビットおよびＣＱＩビットは、チャネル・インタリーブ前にまずＣＱＩを置き換えることによって結合されうる。データおよびＣＱＩは、まずサブ・フレーム全体、次にＲＩシンボルに対して及ぶことによって、１つのサブ・キャリアから別のサブ・キャリアへ移動してサブ・フレーム内にデータおよびＣＱＩが挿入されうる。ＡＣＫビットは、割当における最後のサブ・キャリアから始まり、データおよび恐らくはＣＱＩをパンクチャするパイロット・シンボルに挿入されうる。
【００５７】
ＵＥが、閉ループ空間多重化モードで設定された場合、ＣＱＩペイロード・サイズは、ＲＩの関数でありうる。ＲＩ＝１は、１つのペイロード・サイズに相当し、ＲＩ＞１は、別のペイロード・サイズに相当しうる。したがって、ＣＱＩによって占有されたシンボルの数は、ＲＩに依存する。従来、ＵＥ  Ｔｘ挙動は以下の通りである。すなわち、そのサブ・フレームで送信されたＲＩにしたがって、ＣＱＩによって占有されたシンボルの数を計算し、それにしたがって、ＣＱＩによって占有されたリソースを使っている間、データ・レート・マッチングを実行し、もって、ＲＩが異なれば、ＣＱＩによって使われるリソースの数が異なるという結果になる。
【００５８】
主題とするイノベーションは、誤り無くランク・インジケータ（ＲＩ）を識別するために、正確な復号技術を提供することである。シーケンシャルな復号技術は、本イノベーションによって提供されうる。シーケンシャルな復号を用いて、以下が実行されうる。まずＲＩ検出が行われ、このＲＩ値に基づいて、ＣＱＩ復号およびデータ復号が実行される（もしもＲＩに誤りがある場合、ＣＱＩに誤りがあり、さらに重大なことに、データの開始点に誤りがあるだろう。これによって、すべての再送信のみならず、現在の送信のためのＰＵＳＣＨデータ全体も誤るという結果になる）。
【００５９】
主題とするイノベーションはさらに、ＲＩ検出と、ＣＱＩおよびデータの復号とをパラレルに実行することと、ＲＩ＝１およびＲＩ＞１を仮定することによって、ＣＱＩとデータのブラインド復号を行うことを含むパラレル復号を提供しうる。この技術は、誤りのあるＲＩによる誤りのある伝送は行わないが、データのブラインド復号が、最大再送信回数に達するか、あるいは、ＣＲＣパスまで、すべての再送信に対して、データのブラインド復号が引き継ぐであろう。この技術は、実施において顕著なオーバヘッドおよび複雑さを有しうる。
【００６０】
主題とするイノベーションはさらに、ＲＩ検出とＣＱＩ復号とをパラレルに実行し、ＲＩ＝１およびＲＩ＞１を仮定することによって、ブラインド復号を行うことを含むハイブリッド復号を提供する。さらに、ＣＱＩ巡回冗長検査（ＣＲＣ）チェックを行い、この仮説に対応するＲＩが、復号されたＲＩと矛盾しないのであれば、データ復号に進む。そうでない場合、ＲＩとＣＱＩとに誤りがあると宣言し、このサブ・フレーム内のデータ送信に対応するすべてのＬＬＲをゼロ・アウトする。これによって、現在の送信を犠牲にした誤りのあるＲＩによる誤伝送が生じる。さらに、ログ尤度比（ＬＬＲ）をダブル・バッファリングする必要は無くなる。
【００６１】
主題とするイノベーションはさらに、前述したような誤り伝送および実施の複雑さを回避しうる。例えば、以下を含む第１の解決法が提供されうる。この第１の解決法は、サブ・フレームの一端側にＣＱＩビットを挿入し、ＣＱＩに対するデータ・レート・マッチを取り、ＲＩに誤りがある場合、データのＲＶパターンに誤りは無いであろう。そして、実際のＣＱＩビットに対応するＬＬＲに誤りがあるか、あるいは、ゼロ・アウトされるだろう。これは、符号化および／または再送信によって復元されうる。さらに、ＲＩシンボル位置およびＡＣＫシンボル位置は、そのまま保たれうる（例えば、ＡＣＫが、ＣＱＩをパンクチャする）。さらに、ＲＩ位置を変えずに保ちながら、割り当てられた帯域幅内の第１のサブ・キャリアから始まるＡＣＫシンボルを挿入する（ＡＣＫが、体系的なデータ・ビットをパンクチャする）。さらに、割り当てられた帯域幅内の最初のサブ・キャリアから、ＲＩシンボルとＡＣＫシンボルとの両方が挿入されうる（例えば、ＡＣＫは、体系的なデータのビットをパンクチャする）。
【００６２】
第２の解決策は、ＲＩ＝１およびＲＩ＞１に対応するＣＱＩのペイロード・サイズを計算し、より大きなペイロード・サイズのＣＱＩを仮定することによって、ＣＱＩに対するデータをレート・マッチし、より大きなペイロード・サイズに対応するリソースを仮定することによって、ＵＥがＣＱＩをレート・マッチし、サブ・フレーム内のＣＱＩシンボル位置が固定され、ＲＩに依存しないので、データのＲＶパターンにインパクトを与えないことを含む。
【００６３】
第３の解決法は以下を含む。閉ループ空間多重化モードで設定されたＵＥの場合、ＣＱＩが、レート・マッチングされる代わりに、データをパンクチャし、復号されたＲＩに対応するデータＬＬＲをゼロ・アウトする（例えば、もしもＲＩに誤りがあると、ＬＬＲのうちのいくつかに誤りがあるであろう。これは、符号化および／または再送信によって復元されうる）、そして、ＣＱＩは、いくつかの体系的なデータ・ビットをパックチャし（これは、データ送信のために、ＤＣＩフォーマット０における非定期的なＣＱＩフラグを別のＲＶへリンクすることによって回避されうる）、データのＲＶパターンへのインパクトはない。
【００６４】
第４の解決策は、以下を含みうる。データおよびＣＱＩが、サブ・フレーム内に異なるマッピング方向を持ち、サブ・フレームの一端側にＣＱＩビットを挿入し、サブ・フレームの他端から始めることにより、ＣＱＩに対するデータ・レート・マッチを取る。
【００６５】
さらに、図示していないが、基地局３０２は、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、ランク・インジケータ（ＲＩ）を検出するために、シーケンシャル復号、パラレル復号、またはハイブリッド復号のうちの少なくとも１つを含む復号技術を適用することと、検出されたランク・インジケータ（ＲＩ）に誤りが無く、かつ、データ部分の開始点に誤りが無いように、検出されたランク・インジケータ（ＲＩ）に基づいてデータ部分の開始点を識別すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００６６】
それに加えて、図示していないが、基地局は、サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの２つ以上を含むパッケージ構成を選択することと、物理アップリンク共有チャネル（ＰＵＳＣＨ）送信の誤り無い復号を可能にするために、選択されたパッケージ構成に基づいて、ランク・インジケータ（ＲＩ）、チャネル品質インジケータ（ＣＱＩ）、データ部分、またはアクノレッジメント（ＡＣＫ）のうちの２つ以上を体系化することと、ｅノードＢがランク・インジケータ（ＲＩ）を誤り無く復号できるようにするパッケージ構成をｅノードＢへ通信すること等に関連する命令群を保持するメモリを含みうることが認識されうる。さらに、通信装置２００は、（例えば、メモリ内に保持された命令群、別のソースから取得された命令群のような）命令群を実行することに関連して利用されるプロセッサを含みうる。
【００６７】
図４乃至５を参照して、オーバヘッドおよび電力消費を低減しながらアップリンク・タイミング制御を提供することに関する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６８】
図４は、物理アップリンク共有チャネル（ＰＵＳＣＨ）送信内でランク・インジケータ（ＲＩ）を識別することを容易にする方法４００を例示する。参照番号４０２では、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信が、受信されうる。参照番号４０４では、ランク・インジケータ（ＲＩ）を検出するため、シーケンシャル復号、パラレル復号、またはハイブリッド復号のうちの少なくとも１つである復号技術が適用されうる。参照番号４０６では、検出されたランク・インジケータ（ＲＩ）に誤りが無く、かつ、データ部分の開始点に誤りが無くなるように、検出されたランク・インジケータ（ＲＩ）に基づいて、データ部分の開始点が識別されうる。
【００６９】
図５に移って、物理アップリンク共有チャネル（ＰＵＳＣＨ）送信に関連する誤りのない復号を可能にする情報のパッケージを生成することを容易にする方法５００が例示される。参照番号５０２では、サブ・フレーム内の物理アップリンク共有チャネル（ＰＵＳＣＨ）送信のためのパッケージ構成が選択されうる。このパッケージ構成は、ランク・インジケータ（ＲＩ）、チャネル品質インジケータ（ＣＱＩ）、データ部分、またはアクノレッジメント（ＡＣＫ）のうちの２つ以上を含む。参照番号５０４では、ランク・インジケータ（ＲＩ）、チャネル品質インジケータ（ＣＱＩ）、データ部分、またはアクノレッジメント（ＡＣＫ）のうちの少なくとも２つ以上が、誤りの無い物理アップリンク共有チャネル（ＰＵＳＣＨ）送信を可能にするために、選択されたパッケージ構成に基づいて体系化されうる。参照番号５０６では、このパッケージ構成が、ｅノードＢへ通信されうる。このパッケージ構成によって、ｅノードＢは、ランク・インジケータ（ＲＩ）を誤り無く復号することが可能となる。
【００７０】
図６は、無線通信システムにおいて、ランク・インジケータ（ＲＩ）を誤り無く復号し識別することを容易にするモバイル・デバイス６００の例示である。モバイル・デバイス６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る  受信機６０２を備えうる。受信機６０２は、受信したシンボルを復調し、それらをチャネル推定のためにプロセッサ６０６へ提供する復調器６０４を備えうる。プロセッサ６０６は、受信機６０２によって受信された情報を分析すること、および／または、送信機６１６による送信のための情報を生成することに特化されたプロセッサ、モバイル・デバイス６００の１または複数の構成要素を制御するプロセッサ、および／または、受信機６０２によって受信された情報を分析することと、送信機６１６による送信のための情報を生成することと、モバイル・デバイス６００のうちの１または複数の構成要素を制御することとのすべて行うプロセッサでありうる。
【００７１】
モバイル・デバイス６００はさらに、プロセッサ６０６に動作可能に接続されたメモリ６０８を備えうる。このメモリ６０８は、送信されるべきデータや、受信したデータや、利用可能なチャネルに関連する情報や、分析された信号および／または干渉強度に関連付けられたデータや、割り当てられたチャネル、電力、レート等に関連する情報や、チャネルの推定およびチャネルを介した通信のためのその他任意の適切な情報を格納しうる。メモリ６０８はさらに、（例えば、パフォーマンス・ベース、キャパシティ・ベース等での）チャネルの推定および／または利用に関連付けられたアルゴリズムおよび／またはプロトコルを格納しうる。
【００７２】
本明細書に記載されたデータ・ストア（例えば、メモリ６０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲ  ＲＡＭ）のような多くの形態で利用可能である。主題となるシステムおよび方法のメモリ６０８は、限定される訳ではないが、これらおよびその他任意の適切なタイプのメモリを備えることが意図される。
【００７３】
プロセッサ６０６はさらに、パッケージ・モジュール６１０および／または復号モジュール６１２に動作可能に接続されうる。パッケージ・モジュール６１０は、物理アップリンク共有チャネル（ＰＵＳＣＨ）送信の特定の部分のサブ・フレーム内の特定の位置を用いて構築されうる情報のパッケージを生成しうる。したがって、パッケージ・モジュール６１０は、サブ・フレーム内の特定の位置において、ランク・インジケータ（ＲＩ）、チャネル品質インジケータ（ＣＱＩ）、データ部分、またはアクノレッジメント（ＡＣＫ）のうちの少なくとも１つを用いて、情報のパッケージを構築しうる。この情報のパッケージの構築によって、サブ・フレーム内の指定されたデータ位置に基づいて、復号誤りを緩和しうることが認識されるべきである。復号モジュール６１２は、物理アップリンク共有チャネル（ＰＵＳＣＨ）送信に関連するサブ・フレーム部分を復号するために、さまざまな復号技術を適用しうる。例えば、復号モジュール６１２は、シーケンシャル復号技術、パラレル復号技術、ハイブリッド復号技術等のうちの少なくとも１つを適用しうる。
【００７４】
モバイル・デバイス６００はさらに、信号を変調する変調器６１４と、この信号を例えば基地局、他のモバイル・デバイス等へ送信する送信機６１６とを備える。プロセッサ６０６と別に示されているが、パッケージ・モジュール６１０、復号モジュール６１２、復調器６０４、および／または、変調器６１４は、プロセッサ６０６または複数のプロセッサ（図示せず）のうちの一部でありうることが認識されるべきである。
【００７５】
図７は、前述したように、無線通信環境において、ランク・インジケータ（ＲＩ）を誤り無く検出する復号技術を利用することを容易にするシステム７００の例示である。このシステム７００は、複数の受信アンテナ７０６によって１または複数のモバイル・デバイス７０４から信号を受信する受信機７１０と、送信アンテナ７０８によって１または複数のモバイル・デバイス７０４へ信号を送信する送信機７２４とを備える、基地局７０２（例えば、アクセス・ポイント）を備える。受信機７１０は、受信アンテナ７０６から情報を受信する。さらに、受信した情報を復調する復調器７１２と動作可能に関連付けられている。復調されたシンボルは、図６に関連して上述されたプロセッサと類似のプロセッサ７１４によって分析される。プロセッサ７１４は、信号（例えばパイロット）強度および／または干渉強度を推定することに関連する情報、モバイル・デバイス７０４（または（図示しない）別の基地局）へ／から送信される／受信されたデータ、および／または、本明細書に記載されたさまざまな動作および機能を実行することに関連するその他任意の適切な情報を格納するメモリ７１６に接続されている。プロセッサ７１４はさらに、モバイル・デバイス７０４がタイミング更新を必要とするかを確認しうるタイミング調節判定部７１８に接続されている。さらに、プロセッサ７１４は、特定された必要性にしたがって、モバイル・デバイス７０４のタイミングを更新するタイミング調節コマンドを生成しうるタイミング調節評価部７２０に接続されうる。
【００７６】
基地局７０２はさらに、パッケージ・モジュール７１８および／または復号モジュール７２０を含みうる。パッケージ・モジュール７１８は、物理アップリンク共有チャネル（ＰＵＳＣＨ）送信の特定の部分についてのサブ・フレーム内の特定の位置を用いて構築されうる。したがって、パッケージ・モジュール７１８は、サブ・フレーム内の特定の位置において、ランク・インジケータ（ＲＩ）、チャネル品質インジケータ（ＣＱＩ）、データ部分、アクノレッジメント（ＡＣＫ）のうちの少なくとも１つを用いて情報のパッケージを構築しうる。この情報のパッケージの構築によって、サブ・フレーム内の指定されたデータの位置に基づいて復号誤りを緩和しうることが認識されるべきである。復号モジュール７２０は、物理アップリンク共有チャネル（ＰＵＳＣＨ）送信に関連するサブ・フレーム部分を復号するために、さまざまな復号技術を適用しうる。例えば、復号モジュール７２０は、シーケンシャル復号技術、パラレル復号技術、ハイブリッド復号技術等のうちの少なくとも１つを適用しうる。
【００７７】
さらに、プロセッサ７１４と別に示されているが、パッケージ・モジュール７１８、復号モジュール７２０、復調器７１２、および／または、変調器７２２は、プロセッサ７１４または複数のプロセッサ（図示せず）の一部でありうることが認識されるべきである。
【００７８】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。さらに、基地局８１０および／またはモバイル・デバイス８５０は、その間の無線通信を容易にするために、システム（図１乃至３、６乃至７）、および／または方法（図４乃至５）を適用しうることが認識されるべきである。
【００７９】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００８０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００８１】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００８２】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００８３】
モバイル・デバイス８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８４】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００８５】
プロセッサ８７０は、上述したように、どの事前符合化行列を使用するのかを定期的に決定する。さらに、プロセッサ８７０は、行列インデクス部およびランク値部を備えた逆方向リンク・メッセージを規定することができる。
【００８６】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００８７】
基地局８１０では、モバイル・デバイス８５０からの変調された信号が、アンテナ８２４によって受信され、受信機８２２によって調整され、復調器８４０によって復調され、ＲＸデータ・プロセッサ８４２によって処理されることにより、モバイル・デバイス８５０によって送信された逆方向リンク・メッセージが抽出される。さらに、プロセッサ８３０は、ビームフォーミング重みを決定するためにどの事前符合化行列を使用するかを決定するために、この抽出されたメッセージを処理する。
【００８８】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００８９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００９０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９２】
図９を参照して、物理アップリンク共有チャネル（ＰＵＳＣＨ）送信内のランク・インジケータ（ＲＩ）を識別するシステム９００が例示されている。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。論理グループ９０２は、ランク・インジケータ（ＲＩ）、チャネル品質インジケータ（ＣＱＩ）、データ部分、またはアクノレッジメントのうちの少なくとも１つを含む物理アップリンク共有チャネル（ＰＵＳＣＨ）送信を受信するための電子構成要素９０４を含みうる。それに加えて、論理グループ９０２は、ランク・インジケータ（ＲＩ）を検出するために復号技術を適用するための電子構成要素９０６を備えうる。この復号技術は、シーケンシャル復号、パラレル復号、またはハイブリッド復号のうちの少なくとも１つである。さらに、論理グループ９０２は、検出されたランク・インジケータ（ＲＩ）に誤りが無く、データ部分の開始点にも誤りが無いように、検出されたランク・インジケータ（ＲＩ）に基づいて、データ部分の開始点を識別するための電子構成要素９０８を含みうる。さらに、システム９００は、電子構成要素９０４、９０６、９０８に関連付けられた機能を実行するための命令群を保持するメモリ９１０を含みうる。メモリ９１０の外側にあると示されているが、電子構成要素９０４、９０６、９０８のうちの１または複数は、メモリ９１０内に存在しうることが理解されるべきである。
【００９３】
図１０に移って、無線通信環境において、物理アップリンク共有チャネル（ＰＵＳＣＨ）送信に関連する誤りの無い復号を可能にする情報のパッケージを生成するシステム１０００が例示される。システム１０００は、例えば、基地局、モバイル・デバイス等に存在しうる。図示するように、システム１０００は、プロセッサ、ソフトウェア、または（例えば、ファームウェアのような）これらの組み合わせによって実現される機能を表しうる。論理グループ１００２は、サブ・フレーム内の物理アップリンク共有チャネル（ＰＵＳＣＨ）送信のため、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択するための電子構成要素１００４を含みうる。さらに、論理グループ１００２は、物理アップリンク共有チャネル（ＰＵＳＣＨ）送信の誤りの無い復号を可能にするために、選択されたパッケージ構成に基づいて、ランク・インジケータ（ＲＩ）、チャネル品質インジケータ（ＣＱＩ）、データ部分、またはアクノレッジメント（ＡＣＫ）のうちの少なくとも２つ以上を体系化するための電子構成要素１００６を含みうる。さらに、論理グループ１００２は、パッケージ構成をｅノードＢに通信するための電子構成要素１００８を備えうる。このパッケージ構成によって、ｅノードＢは、ランク・インジケータ（ＲＩ）を誤り無く復号できるようになる。さらに、システム１０００は、電子構成要素１００４、１００６、１００８に関連付けられた機能を実行するための命令群を保持するメモリ１０１０を含みうる。メモリ１０１０の外側にあるとして示されているが、電子構成要素１００４、１００６、１００８は、メモリ１０１０内に存在しうることが理解されるべきである。
【００９４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2014222906.tif 000003
【図２】
2014222906.tif 000004
【図３】
2014222906.tif 000005
【図４】
2014222906.tif 000006
【図５】
2014222906.tif 000007
【図６】
2014222906.tif 000008
【図７】
2014222906.tif 000009
【図８】
2014222906.tif 000010
【図９】
2014222906.tif 000011
【図１０】
2014222906.tif 000012
【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
復号技術を利用する無線通信システムにおいて使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＳＵＣＨ）送信のパッケージ構成を識別することと、
前記識別されたパッケージ構成に少なくとも部分的に基づいて、前記物理アップリンク共有チャネル（ＰＵＳＣＨ）送信を復号することとを備え、
前記パッケージ構成は、前記ランク・インジケータ（ＲＩ）、前記チャネル品質インジケータ（ＣＱＩ）、前記データ部分、または前記アクノレッジメント（ＡＣＫ）のうちの少なくとも１つの位置を指定する方法。
【請求項２】
物理アップリンク共有チャネル（ＰＵＳＣＨ）送信内のデータ部分の開始点を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
閉ループ空間多重化モードにおけるユーザ機器を識別する手段と、
前記チャネル品質インジケータ（ＣＱＩ）のデータをパンクチャする手段と、
復号および検出されたランク・インジケータ（ＲＩ）に対応するログ尤度比（ＬＬＲ）におけるデータをクリアする手段とを備える無線通信装置。
【請求項３】
物理アップリンク共有チャネル（ＰＵＳＣＨ）送信に関連する誤りの無い復号を可能にする、情報のパッケージの生成を容易にする無線通信システムで使用される方法であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択することと、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化することと、
前記パッケージ構成をｅノードＢに通信することとを備え、
前記パッケージ構成は、前記ｅノードＢにおいて前記ランク・インジケータ（ＲＩ）を復号するために使用される、方法。
【請求項４】
前記サブ・フレームの終わりに、少なくとも１つのチャネル品質インジケータ（ＣＱＩ）ビットを挿入することと、
前記チャネル品質インジケータ（ＣＱＩ）に対するデータ・レート・マッチを適用することとをさらに備える請求項３に記載の方法。
【請求項５】
ランク・インジケータ（ＲＩ）位置を変えずに保ちながら、割り当てられた帯域幅内に、第１のサブ・キャリアから始まるアクノレッジメント（ＡＣＫ）シンボルを挿入することをさらに備える請求項３に記載の方法。
【請求項６】
割り当てられた帯域幅内に、第１のサブ・キャリアから始まるランク・インジケータ（ＲＩ）シンボルおよびアクノレッジメント（ＡＣＫ）シンボルを挿入することをさらに備える請求項３に記載の方法。
【請求項７】
前記サブ・フレーム内にチャネル品質インジケータ（ＣＱＩ）シンボルを固定することをさらに備える請求項３に記載の方法。
【請求項８】
前記サブ・フレームの第１の終わりに、チャネル品質インジケータ（ＣＱＩ）ビットを挿入することと、
前記サブ・フレームの第２の終わりにおいて始まるチャネル品質インジケータに対するデータ・レート・マッチを適用することとをさらに備える請求項３に記載の方法。
【請求項９】
前記選択されたパッケージ構成の体系化に少なくとも部分的に基づいて、前記パッケージ構成を復号することをさらに備える請求項３に記載の方法。
【請求項１０】
無線通信装置であって、
サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成し、
前記物理アップリンク共有チャネル（ＰＵＳＣＨ）送信の復号が誤り無くなされるような構成に、前記データのパッケージを体系化し、
前記パッケージ構成を、ｅノードＢに通信するように構成された少なくとも１つのプロセッサと、
前記少なくとも１つのプロセッサに接続されたメモリとを備え、
前記パッケージ構成によって、前記ｅノードＢは、前記ランク・インジケータ（ＲＩ）を誤り無く復号できるようになる無線通信装置。
【請求項１１】
前記少なくとも１つのプロセッサはさらに、
前記サブ・フレームの終わりに、少なくとも１つのチャネル品質インジケータ（ＣＱＩ）ビットを挿入し、
前記チャネル品質インジケータ（ＣＱＩ）に対するデータ・レット・マッチを適用するように構成される請求項１０に記載の無線通信装置。
【請求項１２】
前記少なくとも１つのプロセッサはさらに、ランク・インジケータ（ＲＩ）位置を変えずに保ちながら、割り当てられた帯域幅内に、第１のサブ・キャリアから始まるアクノレッジメント（ＡＣＫ）シンボルを挿入するように構成される請求項１０に記載の無線通信装置。
【請求項１３】
前記少なくとも１つのプロセッサはさらに、割り当てられた帯域幅内の第１のサブ・キャリアから始まるランク・インジケータ（ＲＩ）シンボルおよびアクノレッジメント（ＡＣＫ）シンボルを挿入するように構成される請求項１０に記載の無線通信装置。
【請求項１４】
物理アップリンク共有チャネル（ＰＵＳＣＨ）送信に関連する誤りの無い復号を可能にする情報のパッケージを生成する無線通信装置であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択する手段と、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化する手段と、
前記パッケージ構成をｅノードＢに通信する手段とを備え、
前記パッケージ構成によって、前記ｅノードＢは、前記ランク・インジケータ（ＲＩ）を誤り無く復号できるようになる無線通信装置。
【請求項１５】
前記サブ・フレームの終わりに、少なくとも１つのチャネル品質インジケータ（ＣＱＩ）ビットを挿入する手段と、
前記チャネル品質インジケータ（ＣＱＩ）に対するデータ・レート・マッチを適用する手段とをさらに備える請求項１４に記載の無線通信装置。
【請求項１６】
ランク・インジケータ（ＲＩ）位置を変えずに保ちながら、割り当てられた帯域幅内に、第１のサブ・キャリアから始まるアクノレッジメント（ＡＣＫ）シンボルを挿入する手段をさらに備える請求項１４に記載の無線通信装置。
【請求項１７】
割り当てられた帯域幅における第１のサブ・キャリアから始まるランク・インジケータ（ＲＩ）シンボルおよびアクノレッジメント（ＡＣＫ）シンボルを挿入する手段をさらに備える請求項１４に記載の無線通信装置。
【請求項１８】
前記サブ・フレーム内にチャネル品質インジケータ（ＣＱＩ）シンボルを固定する手段をさらに備える請求項１４に記載の無線通信装置。
【請求項１９】
前記サブ・フレームの第１の終わりにおいて、チャネル品質インジケータ（ＣＱＩ）を挿入する手段と、
前記サブ・フレームの第２の終わりに始まるチャネル品質インジケータ（ＣＱＩ）に対するデータ・レート・マッチを適用する手段とをさらに備える請求項１４に記載の無線通信装置。
【請求項２０】
前記選択されたパッケージ構成の体系化に少なくとも部分的に基づいて、前記パッケージ構成を復号する手段をさらに備える請求項１４に記載の無線通信装置。
【請求項２１】
少なくとも１つのコンピュータに対して、サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成させるためのコードと、
少なくとも１つのコンピュータに対して、前記物理アップリンク共有チャネル（ＰＵＳＣＨ）送信の復号が誤り無くなされるような構成に、前記データのパッケージを体系化させるためのコードと、
少なくとも１つのコンピュータに対して、前記パッケージ構成を、ｅノードＢに通信させるためのコードとを備え、
前記パッケージ構成によって、前記ｅノードＢは、前記ランク・インジケータ（ＲＩ）を誤り無く復号できるようになるコンピュータ読取可能記憶媒体。
【請求項２２】
少なくとも１つのコンピュータに対して、前記サブ・フレームの終わりに、少なくとも１つのチャネル品質インジケータ（ＣＱＩ）ビットを挿入させるためのコードと、
少なくとも１つのコンピュータに対して、前記チャネル品質インジケータ（ＣＱＩ）に対するデータ・レート・マッチを適用させるためのコードとをさらに備える請求項２１に記載のコンピュータ読取可能記憶媒体。
【請求項２３】
少なくとも１つのコンピュータに対して、ランク・インジケータ（ＲＩ）位置を変えずに保ちながら、割り当てられた帯域幅内に、第１のサブ・キャリアから始まるアクノレッジメント（ＡＣＫ）シンボルを挿入させるためのコードをさらに備える請求項２１に記載のコンピュータ読取可能記憶媒体。
【請求項２４】
少なくとも１つのコンピュータに対して、割り当てられた帯域幅内の第１のサブ・キャリアから始まるランク・インジケータ（ＲＩ）シンボルおよびアクノレッジメント（ＡＣＫ）シンボルを挿入させるためのコードをさらに備える請求項２１に記載のコンピュータ読取可能記憶媒体。
【手続補正２】
【補正対象書類名】明細書
【補正対象項目名】００９４
【補正方法】変更
【補正の内容】
【００９４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［Ｃ１］
物理アップリンク共有チャネル（ＰＵＳＣＨ）送信内のランク・インジケータ（ＲＩ）を識別することを容易にする無線通信装置で使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
前記ランク・インジケータ（ＲＩ）を検出するために、シーケンシャル復号、パラレル復号、またはハイブリッド復号のうちの少なくとも１つである復号技術を適用することと、
前記データ部分の開始点に誤りが無いように、前記検出されたランク・インジケータ（ＲＩ）に基づいて、前記データ部分の開始点を識別することと
を備える方法。
［Ｃ２］
前記シーケンシャル復号は、
前記ランク・インジケータ（ＲＩ）を識別するために、ランク・インジケータ（ＲＩ）検出を実行することと、
前記チャネル品質インジケータ（ＣＱＩ）を検出するために、前記ランク・インジケータの検出に基づいて、チャネル品質インジケータ（ＣＱＩ）検出を実行することと、
前記チャネル品質インジケータ（ＣＱＩ）検出に基づいて、前記データ部分の復号を実行することと
を備えるＣ１に記載の方法。
［Ｃ３］
前記パラレル復号は、
前記ランク・インジケータ（ＲＩ）を識別するために、ランク・インジケータ（ＲＩ）検出を実行することと、
前記チャネル品質インジケータ（ＣＱＩ）を検出するために、チャネル品質インジケータ（ＣＱＩ）を実行することと、
前記データ部分の復号を実行することと、
前記ランク・インジケータ（ＲＩ）の検出と、前記チャネル品質インジケータ（ＣＱＩ）の検出と、前記データ部分の復号とをパラレルに実行することと
を備えるＣ１に記載の方法。
［Ｃ４］
前記チャネル品質インジケータ（ＣＱＩ）および前記データ部分の検出は、前記ランク・インジケータ（ＲＩ）が、１の値であるか、または、１より大きな値であるかのうちの少なくとも１つに基づいてブラインドで実行されるＣ３に記載の方法。
［Ｃ５］
前記ハイブリッド復号は、
前記ランク・インジケータ（ＲＩ）を識別するためにランク・インジケータ（ＲＩ）検出を実行することと、
前記チャネル品質インジケータ（ＣＱＩ）を検出するために、チャネル品質インジケータ（ＣＱＩ）検出を実行することと、
前記ランク・インジケータ（ＲＩ）検出と前記チャネル品質インジケータ（ＣＱＩ）検出とをパラレルに実行することとを備え、
前記ランク・インジケータ（ＲＩ）とともに検出されたチャネル品質インジケータ（ＣＱＩ）は、１の値であるか、または、１より大きな値であるかのうちの少なくとも１つであり、
前記ハイブリッド復号はさらに、
対応するランク・インジケータ（ＲＩ）を提供するチャネル品質インジケータ（ＣＱＩ）巡回冗長検査（ＣＲＣ）を適用することと、
前記識別されたランク・インジケータ（ＲＩ）を、前記対応するランク・インジケータ（ＲＩ）を用いて評価することと、
前記識別されたランク・インジケータ（ＲＩ）が、前記対応するランク・インジケータ（ＲＩ）と矛盾していない場合、前記データ部分の復号を実行することと
を備えるＣ１に記載の方法。
［Ｃ６］
前記識別されたランク・インジケータ（ＲＩ）が、前記対応するランク・インジケータ（ＲＩ）と矛盾する場合、前記ランク・インジケータ（ＲＩ）または前記チャネル品質インジケータ（ＣＱＩ）のうちの少なくとも１つが誤っていると宣言することをさらに備えるＣ５に記載の方法。
［Ｃ７］
前記物理アップリンク共有チャネル（ＰＵＳＣＨ）送信に関連するサブ・フレームにおけるログ尤度比（ＬＬＲ）をクリアすることをさらに備えるＣ６に記載の方法。
［Ｃ８］
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＵＳＣＨ）送信のパッケージ構成を識別することと、
前記識別されたパッケージ構成に少なくとも部分的に基づいて、前記物理アップリンク共有チャネル（ＰＵＳＣＨ）送信を復号することとを備え、
前記パッケージ構成は、前記ランク・インジケータ（ＲＩ）、前記チャネル品質インジケータ、前記データ部分、または前記アクノレッジメント（ＡＣＫ）のうちの少なくとも１つの位置を指定するＣ１に記載の方法。
［Ｃ９］
復号技術を利用する無線通信システムで使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
１であるランク・インジケータ（ＲＩ）値と、１より大きなランク・インジケータ（ＲＩ）値とに対応するＣＱＩのペイロード・サイズを計算することと、
より大きなペイロード・サイズのＣＱＩに基づいて、前記チャネル品質インジケータ（ＣＱＩ）に対するデータのレート・マッチングを行うことと
を備える方法。
［Ｃ１０］
復号技術を利用する無線通信システムにおいて使用される方法であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信することと、
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＳＵＣＨ）送信のパッケージ構成を識別することと、
前記識別されたパッケージ構成に少なくとも部分的に基づいて、前記物理アップリンク共有チャネル（ＰＵＳＣＨ）送信を復号することとを備え、
前記パッケージ構成は、前記ランク・インジケータ（ＲＩ）、前記チャネル品質インジケータ（ＣＱＩ）、前記データ部分、または前記アクノレッジメント（ＡＣＫ）のうちの少なくとも１つの位置を指定する方法。
［Ｃ１１］
無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信し、
前記ランク・インジケータ（ＲＩ）を復号するために、シーケンシャル復号、パラレル復号、またはハイブリッド復号のうちの少なくとも１つである復号技術を利用し、
前記データ部分の開始点に誤りが無いように、前記検出されたランク・インジケータ（ＲＩ）に基づいて、前記データ部分の開始点を位置決めする
ように構成された少なくとも１つのプロセッサと、
前記少なくとも１つのプロセッサに接続されたメモリと
を備える無線通信装置。
［Ｃ１２］
前記シーケンシャル復号は、
前記ランク・インジケータ（ＲＩ）を識別するためにランク・インジケータ（ＲＩ）検出を実行し、前記チャネル品質インジケータ（ＣＱＩ）を検出するために、前記ランク・インジケータ（ＲＩ）検出に基づいて、チャネル品質インジケータ（ＣＱＩ）検出を実行し、
前記チャネル品質インジケータ（ＣＱＩ）検出に基づいて、前記データ部分の復号を実行する
ように構成された少なくとも１つのプロセッサを備えるＣ１１に記載の無線通信装置。
［Ｃ１３］
前記パラレル復号は、
前記ランク・インジケータ（ＲＩ）を識別するために、ランク・インジケータ（ＲＩ）検出を実行し、
前記チャネル品質インジケータ（ＣＱＩ）を検出するために、チャネル品質インジケータ（ＣＱＩ）検出を実行し、
前記データ部分の復号を実行し、前記ランク・インジケータ（ＲＩ）検出と、前記チャネル品質インジケータ（ＣＱＩ）検出と、前記データ部分の復号とをパラレルに実行する
ように構成された少なくとも１つのプロセッサを備えるＣ１１に記載の無線通信装置。
［Ｃ１４］
前記ハイブリッド復号は、
前記ランク・インジケータ（ＲＩ）を識別するためにランク・インジケータ（ＲＩ）検出を実行し、
前記チャネル品質インジケータ（ＣＱＩ）を検出するために、チャネル品質インジケータ（ＣＱＩ）検出を実行し、
前記ランク・インジケータ（ＲＩ）検出と前記チャネル品質インジケータ（ＣＱＩ）検出とをパラレルに実行するように構成された少なくとも１つのプロセッサを備え、
前記ランク・インジケータ（ＲＩ）とともに検出されたチャネル品質インジケータ（ＣＱＩ）は、１の値であるか、または、１より大きな値であるかのうちの少なくとも１つであり、
前記少なくとも１つのプロセッサはさらに、
対応するランク・インジケータ（ＲＩ）を提供するチャネル品質インジケータ（ＣＱＩ）巡回冗長検査（ＣＲＣ）を適用し、
前記識別されたランク・インジケータ（ＲＩ）を、前記対応するランク・インジケータ（ＲＩ）を用いて評価し、
前記識別されたランク・インジケータ（ＲＩ）が、前記対応するランク・インジケータ（ＲＩ）と矛盾していない場合、前記データ部分の復号を実行する
ように構成された少なくとも１つのプロセッサを備えるＣ１１に記載の無線通信装置。
［Ｃ１５］
物理アップリンク共有チャネル（ＰＵＳＣＨ）送信内のランク・インジケータ（ＲＩ）を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
前記ランク・インジケータ（ＲＩ）を検出するために、シーケンシャル復号、パラレル復号、またはハイブリッド復号のうちの少なくとも１つである復号技術を適用する手段と、
検出されたデータ部分の開始点に誤りが無いように、前記検出されたランク・インジケータ（ＲＩ）に基づいて、前記データ部分の開始点を識別する手段と
を備える無線通信装置。
［Ｃ１６］
前記シーケンシャル復号は、
前記ランク・インジケータ（ＲＩ）を識別するためにランク・インジケータ（ＲＩ）検出を実行する手段と、
チャネル品質インジケータ（ＣＱＩ）を検出するために、前記ランク・インジケータ（ＲＩ）検出に基づいて、チャネル品質インジケータ（ＣＱＩ）検出を実行する手段と、
前記チャネル品質インジケータ（ＣＱＩ）検出に基づいて、前記データ部分の復号を実行する手段と
を備えるＣ１５に記載の無線通信装置。
［Ｃ１７］
前記パラレル復号は、
前記ランク・インジケータ（ＲＩ）を識別するために、ランク・インジケータ（ＲＩ）検出を実行する手段と、
前記チャネル品質インジケータ（ＣＱＩ）を検出するために、チャネル品質インジケータ（ＣＱＩ）検出を実行する手段と、
前記データ部分の復号を実行する手段と、
前記ランク・インジケータ（ＲＩ）検出と、前記チャネル品質インジケータ（ＣＱＩ）検出と、前記データ部分の復号とをパラレルに実行する手段と
を備えるＣ１５に記載の無線通信装置。
［Ｃ１８］
前記チャネル品質インジケータ（ＣＱＩ）および前記データ部分の検出は、前記ランク・インジケータ（ＲＩ）が、１の値であるか、または、１より大きな値であるかのうちの少なくとも１つに基づいてブラインドで実行されるＣ１７に記載の無線通信装置。
［Ｃ１９］
前記ハイブリッド復号は、
前記ランク・インジケータ（ＲＩ）を識別するためにランク・インジケータ（ＲＩ）検出を実行する手段と、
前記チャネル品質インジケータ（ＣＱＩ）を検出するために、チャネル品質インジケータ（ＣＱＩ）検出を実行する手段と、
前記ランク・インジケータ（ＲＩ）検出と前記チャネル品質インジケータ（ＣＱＩ）検出とをパラレルに実行する手段とを備え、
前記ランク・インジケータ（ＲＩ）とともに検出されたチャネル品質インジケータ（ＣＱＩ）は、１の値であるか、または、１より大きな値であるかのうちの少なくとも１つであり、
前記ハイブリッド復号はさらに、
対応するランク・インジケータ（ＲＩ）を提供するチャネル品質インジケータ（ＣＱＩ）巡回冗長検査（ＣＲＣ）を適用する手段と、
前記識別されたランク・インジケータ（ＲＩ）を、前記対応するランク・インジケータ（ＲＩ）を用いて評価する手段と、
前記識別されたランク・インジケータ（ＲＩ）が、前記対応するランク・インジケータ（ＲＩ）と矛盾していない場合、前記データ部分の復号を実行する手段と
を備えるＣ１５に記載の無線通信装置。
［Ｃ２０］
前記識別されたランク・インジケータ（ＲＩ）が、前記対応するランク・インジケータ（ＲＩ）と矛盾する場合、前記ランク・インジケータ（ＲＩ）または前記チャネル品質インジケータ（ＣＱＩ）のうちの少なくとも１つが誤っていると宣言する手段をさらに備えるＣ１９に記載の無線通信装置。
［Ｃ２１］
前記物理アップリンク共有チャネル（ＰＵＳＣＨ）送信に関連するサブ・フレームにおけるログ尤度比（ＬＬＲ）をクリアする手段をさらに備えるＣ２０に記載の無線通信装置。
［Ｃ２２］
ランク・インジケータ（ＲＩ）、チャネル品質インジケータ（ＣＱＩ）、データ部分、またはアクノレッジメント（ＡＣＫ）のうちの少なくとも１つを含む、前記受信された物理アップリンク共有チャネル（ＰＵＳＣＨ）送信のパッケージ構成を識別する手段と、
前記識別されたパッケージ構成に少なくとも部分的に基づいて、前記物理アップリンク共有チャネル（ＰＵＳＣＨ）送信を復号する手段とをさらに備え、
前記パッケージ構成は、前記ランク・インジケータ（ＲＩ）、前記チャネル品質インジケータ、前記データ部分、または前記アクノレッジメント（ＡＣＫ）のうちの少なくとも１つの位置を指定するＣ１５に記載の無線通信装置。
［Ｃ２３］
物理アップリンク共有チャネル（ＰＵＳＣＨ）送信内のデータ部分の開始点を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
１であるランク・インジケータ（ＲＩ）値と、１より大きなランク・インジケータ（ＲＩ）値とに対応するＣＱＩのペイロード・サイズを計算する手段と、
より大きなペイロード・サイズのＣＱＩに基づいて、前記チャネル品質インジケータ（ＣＱＩ）に対するデータのレート・マッチングを行う手段と
を備える無線通信装置。
［Ｃ２４］
物理アップリンク共有チャネル（ＰＵＳＣＨ）送信内のデータ部分の開始点を識別する無線通信装置であって、
ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信する手段と、
閉ループ空間多重化モードにおけるユーザ機器を識別する手段と、
前記チャネル品質インジケータ（ＣＱＩ）のデータをパンクチャする手段と、
復号および検出されたランク・インジケータ（ＲＩ）に対応するログ尤度比（ＬＬＲ）におけるデータをクリアする手段と
を備える無線通信装置。
［Ｃ２５］
コンピュータ読取可能媒体を備えるコンピュータ・プログラム製品であって、
前記コンピュータ読取可能媒体は、
少なくとも１つのコンピュータに対して、ランク・インジケータ（ＲＩ）、チャネル品質インジケータ（ＣＱＩ）、データ部分、またはアクノレッジメント（ＡＣＫ）のうちの少なくとも１つを含む物理アップリンク共有チャネル（ＰＵＳＣＨ）送信を受信させるためのコードと、
前記ランク・インジケータ（ＲＩ）を復号するために、少なくとも１つのコンピュータに対して、シーケンシャル復号、パラレル復号、またはハイブリッド復号のうちの少なくとも１つである復号技術を利用させるためのコードと、
前記データ部分の開始点に誤りが無いように、少なくとも１つのコンピュータに対して、前記検出されたランク・インジケータ（ＲＩ）に基づいて、前記データ部分の開始点を位置決めさせるためのコードとを備えるコンピュータ・プログラム製品。
［Ｃ２６］
物理アップリンク共有チャネル（ＰＵＳＣＨ）送信に関連する誤りの無い復号を可能にする、情報のパッケージの生成を容易にする無線通信システムで使用される方法であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択することと、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化することと、
前記パッケージ構成をｅノードＢに通信することとを備え、
前記パッケージ構成によって、前記ｅノードＢは、前記ランク・インジケータ（ＲＩ）を誤り無く復号できるようになる方法。
［Ｃ２７］
前記パッケージ構成は、
前記サブ・フレームの終わりに、少なくとも１つのチャネル品質インジケータ（ＣＱＩ）ビットを挿入することと、
前記チャネル品質インジケータ（ＣＱＩ）に対するデータ・レート・マッチを適用することと
を備えるＣ２６に記載の方法。
［Ｃ２８］
前記パッケージ構成はさらに、ランク・インジケータ（ＲＩ）位置を変えずに保ちながら、割り当てられた帯域幅内に、第１のサブ・キャリアから始まるアクノレッジメント（ＡＣＫ）シンボルを挿入することを備えるＣ２６に記載の方法。
［Ｃ２９］
前記パッケージ構成はさらに、割り当てられた帯域幅内に、第１のサブ・キャリアから始まるランク・インジケータ（ＲＩ）シンボルおよびアクノレッジメント（ＡＣＫ）シンボルを挿入することを備えるＣ２６に記載の方法。
［Ｃ３０］
前記パッケージ構成は、前記サブ・フレーム内にチャネル品質インジケータ（ＣＱＩ）シンボルを固定することを備えるＣ２６に記載の方法。
［Ｃ３１］
前記パッケージ構成は、
前記サブ・フレームの第１の終わりに、チャネル品質インジケータ（ＣＱＩ）ビットを挿入することと、
前記サブ・フレームの第２の終わりにおいて始まるチャネル品質インジケータに対するデータ・レート・マッチを適用することと
を備えるＣ２６に記載の方法。
［Ｃ３２］
前記選択されたパッケージ構成の体系化に少なくとも部分的に基づいて、前記パッケージ構成を復号することをさらに備えるＣ２６に記載の方法。
［Ｃ３３］
無線通信装置であって、
サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成し、
前記物理アップリンク共有チャネル（ＰＵＳＣＨ）送信の復号が誤り無くなされるような構成に、前記データのパッケージを体系化し、
前記パッケージ構成を、ｅノードＢに通信するように構成された少なくとも１つのプロセッサと、
前記少なくとも１つのプロセッサに接続されたメモリとを備え、
前記パッケージ構成によって、前記ｅノードＢは、前記ランク・インジケータ（ＲＩ）を誤り無く復号できるようになる無線通信装置。
［Ｃ３４］
前記データのパッケージは、
前記サブ・フレームの終わりに、少なくとも１つのチャネル品質インジケータ（ＣＱＩ）ビットを挿入し、
前記チャネル品質インジケータ（ＣＱＩ）に対するデータ・レット・マッチを適用するように構成された少なくとも１つのプロセッサを備えるＣ３３に記載の無線通信装置。
［Ｃ３５］
ランク・インジケータ（ＲＩ）位置を変えずに保ちながら、割り当てられた帯域幅内に、第１のサブ・キャリアから始まるアクノレッジメント（ＡＣＫ）シンボルを挿入するように構成された少なくとも１つのプロセッサを備えるＣ３３に記載の無線通信装置。
［Ｃ３６］
前記データのパッケージはさらに、割り当てられた帯域幅内の第１のサブ・キャリアから始まるランク・インジケータ（ＲＩ）シンボルおよびアクノレッジメント（ＡＣＫ）シンボルを挿入するように構成された少なくとも１つのプロセッサを備えるＣ３３に記載の無線通信装置。
［Ｃ３７］
物理アップリンク共有チャネル（ＰＵＳＣＨ）送信に関連する誤りの無い復号を可能にする情報のパッケージを生成する無線通信装置であって、
サブ・フレーム内の物理アップリンク共有チャネル（ＰＵＳＣＨ）送信のための、ランク・インジケータ（ＲＩ）、チャネル品質インジケータ（ＣＱＩ）、データ部分、またはアクノレッジメント（ＡＣＫ）のうちの少なくとも２つ以上を含むパッケージ構成を選択する手段と、
前記物理アップリンク共有チャネル（ＰＵＳＣＨ）送信の誤りの無い復号を可能にするために、前記選択されたパッケージ構成に基づいて、前記ランク・インジケータ（ＲＩ）、前記チャネル品質インジケータ（ＣＱＩ）、前記データ部分、または前記アクノレッジメント（ＡＣＫ）のうちの少なくとも２つ以上を体系化する手段と、
前記パッケージ構成をｅノードＢに通信する手段とを備え、
前記パッケージ構成によって、前記ｅノードＢは、前記ランク・インジケータ（ＲＩ）を誤り無く復号できるようになる無線通信装置。
［Ｃ３８］
前記パッケージ構成は、
前記サブ・フレームの終わりに、少なくとも１つのチャネル品質インジケータ（ＣＱＩ）ビットを挿入する手段と、
前記チャネル品質インジケータ（ＣＱＩ）に対するデータ・レート・マッチを適用する手段と
を備えるＣ３７に記載の無線通信装置。
［Ｃ３９］
前記パッケージ構成はさらに、ランク・インジケータ（ＲＩ）位置を変えずに保ちながら、割り当てられた帯域幅内に、第１のサブ・キャリアから始まるアクノレッジメント（ＡＣＫ）シンボルを挿入する手段を備えるＣ３７に記載の無線通信装置。
［Ｃ４０］
前記パッケージ構成はさらに、割り当てられた帯域幅における第１のサブ・キャリアから始まるランク・インジケータ（ＲＩ）シンボルおよびアクノレッジメント（ＡＣＫ）シンボルを挿入する手段を備えるＣ３７に記載の無線通信装置。
［Ｃ４１］
前記パッケージ構成は、前記サブ・フレーム内にチャネル品質インジケータ（ＣＱＩ）シンボルを固定する手段を備えるＣ３７に記載の無線通信装置。
［Ｃ４２］
前記パッケージ構成は、
前記サブ・フレームの第１の終わりにおいて、チャネル品質インジケータ（ＣＱＩ）を挿入する手段と、
前記サブ・フレームの第２の終わりに始まるチャネル品質インジケータ（ＣＱＩ）に対するデータ・レート・マッチを適用する手段と
を備えるＣ３７に記載の無線通信装置。
［Ｃ４３］
前記選択されたパッケージ構成の体系化に少なくとも部分的に基づいて、前記パッケージ構成を復号する手段をさらに備えるＣ３７に記載の無線通信装置。
［Ｃ４４］
コンピュータ読取可能媒体を備えるコンピュータ・プログラム製品であって、
前記コンピュータ読取可能媒体は、
少なくとも１つのコンピュータに対して、サブ・フレーム内の物理アップリンク共有チャネル（ＰＵＳＣＨ）送信のためのデータのパッケージであって、ランク・インジケータ（ＲＩ）、チャネル品質インジケータ（ＣＱＩ）、データ部分、またはアクノレッジメント（ＡＣＫ）のうちの少なくとも２つ以上を含むデータのパッケージを生成させるためのコードと、
少なくとも１つのコンピュータに対して、前記物理アップリンク共有チャネル（ＰＵＳＣＨ）送信の復号が誤り無くなされるような構成に、前記データのパッケージを体系化させるためのコードと、
少なくとも１つのコンピュータに対して、前記パッケージ構成を、ｅノードＢに通信させるためのコードとを備え、
前記パッケージ構成によって、前記ｅノードＢは、前記ランク・インジケータ（ＲＩ）を誤り無く復号できるようになるコンピュータ・プログラム製品。
［Ｃ４５］
前記データのパッケージは、
少なくとも１つのコンピュータに対して、前記サブ・フレームの終わりに、少なくとも１つのチャネル品質インジケータ（ＣＱＩ）ビットを挿入させるためのコードと、
少なくとも１つのコンピュータに対して、前記チャネル品質インジケータに対するデータ・レート・マッチを適用させるためのコードとを備える前記コンピュータ読取可能媒体を備えるＣ４４に記載のコンピュータ・プログラム製品。
［Ｃ４６］
前記データのパッケージはさらに、少なくとも１つのコンピュータに対して、ランク・インジケータ（ＲＩ）位置を変えずに保ちながら、割り当てられた帯域幅内に、第１のサブ・キャリアから始まるアクノレッジメント（ＡＣＫ）シンボルを挿入させるためのコードを備えるＣ４４に記載のコンピュータ・プログラム製品。
［Ｃ４７］
前記データのパッケージはさらに、少なくとも１つのコンピュータに対して、割り当てられた帯域幅内の第１のサブ・キャリアから始まるランク・インジケータ（ＲＩ）シンボルおよびアクノレッジメント（ＡＣＫ）シンボルを挿入させるためのコードを備えるＣ４４に記載のコンピュータ・プログラム製品。
【外国語明細書】
2014222906000001.pdf